(57)【特許請求の範囲】
【請求項１】
外部の周辺機器に着脱可能に接続して使用されるビデオエンコーダシステムであって、  上記周辺機器から入力された入力信号を受けるビデオ受信部と、  上記ビデオ受信部から出力される映像信号を受けて画像圧縮信号を形成するビデオエンコーダと、  上記ビデオ受信部から出力される音声信号を受けて音声圧縮信号を形成するオーディオエンコーダと、  上記ビデオ受信部から出力される７４．２５ＭＨｚのビデオクロックを受けて第１ＳＴＣカウンタ値を形成する第１ＳＴＣカウンタ値生成部と、  上記第１ＳＴＣカウンタ値を受けてＰＣＲを生成するＰＣＲ生成部とを有し、  上記第１ＳＴＣカウンタ値生成部は、上記ビデオクロックの１１サイクル毎に４回のインクリメントを行うカウンタ動作行って上記第１ＳＴＣカウンタ値を生成する、  ビデオエンコーダシステム
【請求項２】
請求項１において、  上記第１ＳＴＣカウンタ値生成部は、０〜１０の１１個のパルス計数動作を行うループカウンタであるクロックカウンタ部と、上記０〜１０の計数出力（クロックカウンタ値）を受けるカウンタ値デコーダ部内のデコードデータ生成部とを有し、  上記カウンタ値デコーダ部内のデコードデータ生成部は、上記計数出力が１つ置きと２つ置きの組合せでタイミングが一様となるよう４つのパルスを出力させる、  ビデオエンコーダシステム
【請求項３】
請求項２において、  上記ビデオクロックの周波数は、ＮＴＳＣ方式のカラー映像信号と同じフレームレートである１９２０×１０８０／５９．９４／Ｉに対応した７４．２５ＭＨｚ／１．００１であり、  上記ループカウンタは、ビデオクロックの到来毎に＋１のインクリメント動作を行うとともに１０００個のビデオクロックの到来毎に＋２のインクリメント動作を行う、  ビデオエンコーダシステム
【請求項４】
請求項１ないし３のいずれか一つにおいて、  更に、上記ビデオ受信部から出力されるオーディオマスタクロックを受けてＳＴＣカウンタ値を形成する第２ＳＴＣカウンタ値生成部を有し、  上記第２ＳＴＣカウンタ値生成部は、オーディオマスタクロックをＭＣＬＫとし、ＭＣＬＫと２７ＭＨｚとの最大公約数をＸとし、ＭＣＬＫ／Ｘサイクル中に２７００００００／Ｘインクリメントするカウンタで構成される、  ビデオエンコーダシステム
【請求項５】
請求項４において、  上記第２ＳＴＣカウンタ値生成部は、ＭＣＬＫ／Ｘ個のパルス計数動作を行うループカウンタであるクロックカウンタ部と、上記ＭＣＬＫ／Ｘの計数出力を受けるデコードデータ生成部とを有し、 カウンタ値デコーダ部は、ＭＣＬＫ／Ｘの計数中に２７００００００／Ｘ個のパルスを一様に出力させるインクリメント制御信号を生成する、  ビデオエンコーダシステム
【請求項６】
請求項５において、  上記第２ＳＴＣカウンタ値生成部内のカウンタ値デコーダ部内のデコードデータ生成部は、オーディオ信号のサンプリング周波数に対応して複数個設けられ、設定されたサンプリング周波数に対応したものが選択される、  ビデオエンコーダシステム
【請求項７】
請求項５又は６において、  上記第２ＳＴＣカウンタ値生成部は、上記ビデオ受信部にビデオ信号が入力されず、オーディオエンコーダに音声信号のみが入力されるときに有効にされる、  ビデオエンコーダシステム
【発明の詳細な説明】
【技術分野】
【０００１】  この発明は、ビデオエンコーダシステムに関し、カメラ等の周辺機器からビデオ信号を取り込んでＭＰＥＧ２−ＴＳのＰＣＲを形成するものに利用して有効な技術に関するものである。
【背景技術】
【０００２】  ＭＰＥＧ２（Moving Picture Experts Group) −ＴＳ(Transport Stream)の規格（ＩＳＯ／ＩＣＥ  １３８１８−１）においては、プログラム時刻基準参照値（以下ＰＣＲ）を２７ＭＨｚのシステムタイムクロック（以下ＳＴＣ）から生成する方法が記載されている。このようにＭＰＥＧ２−ＴＳの規格では、ビデオとオーディオのクロックを生成するためのＳＴＣがシステム上に搭載されていることを前提としている。ビデオとオーディオのクロックを生成するためのＳＴＣをシステム上に搭載させることが可能な動画像記録装置の例として、特開２０１０−１８３２４８号公報がある。
【先行技術文献】
【特許文献】
【０００３】
【特許文献１】特開２０１０−１８３２４８号公報
【発明の概要】
【０００４】  前記特許文献１のようなビデオカメラ装置では、メモリカード、ＨＤＤやＤＶＤのような記録装置に映像データを記録するものである。これらの記憶装置に記録するデータ量を少なくするためには、前記のようにＭＰＥＧ２−ＴＳのような画像圧縮は不可欠であり、映像処理部に存在する２７ＭＨｚのシステムタイムクロック（以下ＳＴＣ）からＭＰＥＧ２−ＴＳのＰＣＲを生成することに何ら問題が生じない。むしろ映像処理と画像圧縮とはこのように一体的に構成することが当たり前のようにされている。
【０００５】  本願発明者等においては、図８に示すように、ビデオ受信部３１、ビデオエンコーダ３３、オーディオエンコーダ３４、ＰＣＲ生成部３５とマルチプレクサ３６を備えて画像圧縮を行うＳＴＣカウンタ値生成部を搭載しないビデオエンコーダシステム７を、前記映像処理部を有するビデオカメラ等のような外部に接続された周辺機器１とは分離されて単独で構成することを検討した。このような単独構成のＳＴＣカウンタ値生成部を搭載しないビデオエンコーダシステム７は、任意のビデオカメラ等の外部に接続される周辺機器１に着脱可能に接続して使用することを可能にする。あるいは、外部に接続される複数のビデオカメラ１に対して１つのＳＴＣカウンタ値生成部を搭載しないビデオエンコーダシステム７を共用することができるようになる等のようにＳＴＣカウンタ値生成部を搭載しないビデオエンコーダシステム７の使い勝手がよくなり、あるいはＳＴＣカウンタ値生成部を搭載しないビデオエンコーダシステム７の用途の拡大を見込むことができようになる。
【０００６】  しかしながら、ビデオカメラから分離した構成のＳＴＣカウンタ値生成部を搭載しないビデオエンコーダシステム７でビデオラメラ等の映像処理部に存在する２７ＭＨｚのＳＴＣを用いる構成では、ＰＣＲ生成部に対して外部に接続された周辺機器１に搭載されているＳＴＣ生成部１１で形成されたＳＴＣをＳＴＣ送信用ケーブル２３を介して別途入力するようなインタフェースを設けなければならない。このため、ビデオとオーディオ用のケーブル２１とＳＴＣ送信用ケーブル２３の２種類のケーブルを用意したり、あるいはビデオデータやオーディオデータとＳＴＣを伝送する特別な１つのケーブルを新たに用意したりするために周辺機器１側においてもＳＴＣを出力するインタフェースが必要となる。この構成は、周辺機器１、ＳＴＣカウンタ値生成部を搭載しないビデオエンコーダシステム７及びそれらを接続する図８のケーブル２１が専用のものとなって汎用性に欠け、使い勝手を良くするという発想とは逆行するものになってしまう。
【０００７】  この発明の目的は、簡単な構成で使い勝手と用途の拡大に好適なビデオエンコーダシステムを提供することにある。この発明の前記ならびにそのほかの目的と新規な特徴は、本明細書の記述および添付図面から明らかになるであろう。
【課題を解決するための手段】
【０００８】  本願において開示される１つの代表的な実施例は、以下の通りである。図１に示すビデオエンコーダシステム３は、外部に接続された周辺機器１から入力された入力信号を受けるビデオ受信部３１と、上記ビデオ受信部３１から出力される映像信号を受けて画像圧縮信号を形成するビデオエンコーダ３３と、上記ビデオ受信部から出力される音声信号を受けて音声圧縮信号を形成するオーディオエンコーダ３４と、上記ビデオ受信部から出力される７４．２５ＭＨｚのビデオクロックを受けて第１ＳＴＣカウンタ値を形成する第１ＳＴＣカウンタ値生成部３２と、上記第１ＳＴＣカウンタ値を受けてＰＣＲを生成するＰＣＲ生成部３５とを有する。上記第１ＳＴＣカウンタ値生成部３２は、上記ビデオクロックの１１サイクル毎に４回のインクリメントを行うカウンタ動作行って上記第１ＳＴＣカウンタ値を生成する。
【発明の効果】
【０００９】  簡単な構成で使い勝手の良く用途の拡大に好適なビデオエンコーダシステムが構築できる。
【図面の簡単な説明】
【００１０】
【図１】この発明に係るビデオエンコーダシステムの一実施例の概略ブロック図である。
【図２】図１における第１ＳＴＣカウンタ値生成部３２の一実施例の概略ブロック図である。
【図３】図２におけるカウンタ値デコーダ部３２２の一実施例の概略図である。
【図４】図２における第１ＳＴＣカウンタ生成部３２の動作の一例を説明するためのタイミング図である。
【図５】図１におけるＳＴＣカウンタ値生成部３２の他の一実施例の概略ブロック図である。
【図６】図５におけるカウンタ値デコーダ部３２３の一実施例の概略図である。
【図７】この発明が適用された監視カメラシステムの一実施例のブロック図である。
【図８】この発明に先立って検討されたＳＴＣカウンタ値生成部を搭載しないビデオエンコーダシステムのブロック図である。
【発明を実施するための形態】
【００１１】  添付の図面に沿って、この発明の好ましい実施の形態について詳細に説明する。
【実施例】
【００１２】  図１には、この発明に係るビデオエンコーダシステムの一実施例の概略ブロック図が示されている。この実施例のビデオエンコーダシステム３は、ビデオ受信部３１、ビデオエンコーダ３３、オーディオエンコーダ３４、ＰＣＲ生成部３５及びマルチプレクサ３６を備え、ビデオカメラ等のような周辺機器１とは独立して構成されており、ケーブル２１を図示されないコネクタを介して着脱可能に接続し周辺機器１からビデオ受信部３１でビデオ信号(及びオーディオ信号)を取り込む構成とされている。ビデオ受信部３１では、機器１から入力されたビデオ信号及びオーディオ信号を受けてビデオクロック、ビデオデータ及びオーディオデータ(オーディオマスタクロック)を出力する。この実施例では、第１ＳＴＣカウンタ値生成部３２が設けられる。この第１ＳＴＣカウンタ値生成部３２は、上記抽出されたビデオクロックから前記２７ＭＨｚに相当する第１ＳＴＣカウンタ値を生成する。【００１３】  ＰＣＲ生成部３５では、第１ＳＴＣカウンタ値生成部３２から受信した第１ＳＴＣカウンタ値を使用しＰＣＲを生成する。ビデオエンコーダ３３では、ビデオ受信部３１の出力信号に含まれるビデオデータを圧縮したストリームを生成する。オーディオエンコーダ３４では、ビデオ受信部３１の出力信号に含まれるオーディオデータを圧縮したストリームを生成する。マルチプレクサ３６では、ビデオエンコーダ３３、オーディオエンコーダ３４、ＰＣＲ生成部３５から入力されるストリームをマルチプレクスしてＭＰＥＧ２−ＴＳの規格に対応した圧縮信号を生成する。【００１４】  ＰＣＲは、ＭＰＥＧ２−ＴＳ送信側（ビデオエンコーダシステム）と受信側（ビデオデコーダシステム）の時刻同期を行う際の基準となる２７ＭＨｚに規定されているクロックでカウントされた値である。ＭＰＥＧ２−ＴＳストリーム中に１００ｍｓ間隔で出現する事が推奨されている。このためＰＣＲ生成部３５では、前記第１ＳＴＣカウンタ値生成部３２から受信した第１ＳＴＣカウンタ値である２７ＭＨｚでカウントした値がＭＰＥＧ２−ＴＳストリーム中に１００ｍｓ間隔で出現させるようにする。もしも、このようなＰＣＲを生成しないで送信側と受信側でそれぞれ独自に基準クロックを生成した処理を行った場合、必ず送信、受信側でクロックのずれが発生してしまう。送信側より受信側のクロックが速い場合、受信側が処理するＭＰＥＧ２−ＴＳデータが底を付き、カクカクした動画、ブツブツ途切れる音声となってしまう。逆に、受信側より送信側のクロックが速い場合、受信側でＭＰＥＧ２−ＴＳデータを一時保管するためのバッファが溢れてデータの欠損が発生し、四角いノイズが発生したり画面全体が崩れたりする。この実施例では、外部に接続された周辺機器１から入力されたビデオ信号に含まれるビデオクロックからＰＣＲを生成するのでこのような問題が生じない。【００１５】 図１に示されるビデオデコーダシステム４は、例えばケーブル２２を通して伝えられたＭＰＥＧ２−ＴＳの規格に圧縮された動画像データをデコードして、テレビジョン画面上に表示可能な映像信号、音声信号を形成する。前記ビデオエンコーダシステム３によりＭＰＥＧ２−ＴＳの規格に圧縮生成された動画圧縮フォ���マットのデータを記憶する場合には、上記ビデオデコーダシステム４に装着されたメモリカード、ＨＤＤあるいはＤＶＤのような記憶媒体に記録される。【００１６】  図２には、図１における第１ＳＴＣカウンタ値生成部３２の一実施例の概略ブロック図が示されている。この実施例の第１ＳＴＣカウンタ値生成部３２は、ビデオ受信部３１が抽出したビデオクロックが入力される例である。クロックカウンタ部３２１は、ビデオ受信部から入力されるビデオクロックを順次インクリメントしカウンタ値を生成する。このクロックカウンタ部３２１は、例えば１６進法で０〜Ａまでの１１個のパルスをカウントするループカウンタで構成される。カウンタ値デコーダ部３２２では、カウンタ値をデコードしてＳＴＣ生成用カウンタ部３２３に対して＋１インクリメントするインクリメントタイミング信号を生成する。【００１７】  ビデオカメラ等の周辺機器１からのビデオ信号がNTSCモノクロと同じフレームレート（1920x1080/60/i等）であるときにはビデオクロックは、７４．２５ＭＨｚとなるので、前記クロックカウンタ部３２１とカウンタ値デコーダ部３２２により７４．２５ＭＨｚ×４／１１のような２７ＭＨｚのインクリメントタイミング信号を形成することができる。【００１８】  しかしながら、ＮＴＳＣ方式における水平同期周波数ｆｈは、モノクロ放送では１５．７５０ＫＨｚに設定されているが、カラー放送では水平同期周波数と音声キャリア周波数を整数倍の関係にし、これらと色差情報を付加するための色副搬送波の周波数ｆｓｃとをインターリーブさせて相互妨害が最小で済むように合成する。これに伴って、垂直同期周波数は６０Ｈｚから６０Ｈｚ／１．００１に、フレームレートも毎秒３０枚から３０枚／１．００１のように０．１％低下する。したがって、一般的に使われる１０８０ｉや７２０ｐ等のＨＤＴＶのビデオクロック周波数も７４．２５ＭＨｚ／１．００１のように低下している。【００１９】  このような１／１．００１の補正動作を行うために設けられたのが、１．００１補正タイミング生成部３２４である。この１．００１補正タイミング生成部３２４は、ビデオクロックを計数して１０００回に１回の割合でインクリメントタイミング信号に同期した１．００１補正タイミング信号を生成してＳＴＣ生成用カウンタ部３２３に対して＋２のインクリメント動作に変更する。これにより、１．００１の補正タイミング補正が実施される。【００２０】  前記のように周辺機器１がＮＴＳＣモノクロのフレームレートと同じビデオカメラであるときには、１０８０ｉや７２０ｐ等のＨＤＴＶのビデオクロック周波数も７４．２５ＭＨｚにされるものであるからクロックカウンタ部３２１により１１個のパルスを計数する間に、４個のパルスを出力させることで４／１１の分周動作を行わせることができる。これにより、７４．２５ＭＨｚ×４／１１＝２７ＭＨｚのＳＴＣを生成することができる。ただし、ＳＴＣにはジッタが±５００ｎｓ以内と規定されているため、カウンタ値デコーダ部３２２により１１サイクルの中で４回のカウントアップするタイミングを一様に分布させることで、ジッタを極力抑える構成するよう工夫されている。【００２１】  図３には、図２におけるカウンタ���デコーダ部３２２の一実施例の概略図が示されている。この実施例のデコードデータ生成部３３１は、１６進法（０〜Ｆ）で表記された０〜Ａ（Ａは、１０進法表記では１０に対応している。）の計数値をアドレスとしてこれらのアドレスに格納された記憶データの０又は１のデータを出力する。例えばデータ０はロウレベルを表し、データ１はハイレベルを表している。つまり、１１個のビデオクロックの各周期のうち、２番目（アドレス１）、５番目（アドレス４）、７番目（アドレス６）、１０番目（アドレス９）の周期のときにハイレベルとなるタイミング信号が出力される。【００２２】  図４には、図２の第１ＳＴＣカウンタ値生成部３２の動作の一例を説明するためのタイミング図が示されている。図４（Ａ）は、前記１．００１補正が無い場合が示されている。ビデオクロックは、クロックカウンタ部３２１により各パルスに対して０〜Ａのように１１個のパルスがループカウントされている。つまり、上記０〜Ａの１１個のパルスは４ビットの２進信号で区別される。カウンタ値デコーダ部３２２により生成されたインクリメントタイミング信号は、図３のデコードデータ生成部３３１に示したように１番目（０００１）、４番目（０１００）、６番目（０１１０）及び９番目（１００１）のパルスに同期してハイレベルとなる信号とされる。ＳＴＣ生成用カウンタ部３２３は、これらインクリメントタイミング信号によりゲート回路等を制御して前記ビデオクロックを選択的に伝達させること、つまりは＋１のインクリメント動作することにより、１１個のビデオクロックに対して４個の割合で一様に分布されたＳＴＣカウンタ値のようなパルス列を出力させることができる。【００２３】  図４（Ｂ）は、前記１１個のパルスを形成している途中で１．００１補正タイミング生成部３２４に設けられる１０００個のビデオクロックを計数するループカウンタが１０００個のビデオクロックを形成した場合が示されている。同図の例では、ループカウンタが５番目（０１０１）のクロックを形成した時に１０００個目のクロックを計数した場合が示されて１０００個計数出力信号がロウレベルからハイレベルに変化する。１．００１補正タイミング生成部３２４は、この１０００個計数信号とカウンタ値デコーダ部３２２のインクリメントタイミング信号が共にハイレベルとなったときに１．００１補正タイミング信号を生成する。図２のＳＴＣカウンタ生成用カウンタ部３２３は、この１．００１補正タイミング信号によりゲート回路等を制御して前記ビデオクロックの２周期分を選択的に伝達させること、つまりは＋２のインクリメント動作する。【００２４】  このような１．００１補正タイミング生成部３２４からの１．００１補正タイミング信号を用いることにより、１０００個のビデオクロックを計数する毎に１１個のビデオクロックに対して５個の割合で分布されたＳＴＣカウンタ値のようなパルス列を出力させる。このように１１個のビデオクロックに対して４個のパルス列と、ビデオクロックが１０００個毎に更に１個のパルスを加えることにより、７４．２５ＭＨｚ／１．００１のようなビデオクロックを用いつつ、２７ＭＨｚのＳＴＣカウンタ値のようなパルス列を出力させることができ���。【００２５】  この実施例のようにインクリメントタイミングの分布を、一様に分布させることでＰＣＲのジッタを抑える効果が得られる。前記図３に示されたデコードデータ生成部のデータの分布は一例であり、データの並びを規定するものではない。例えば、クロックカウンタ部３２１がループカウンタで構成されるからアドレスを１つ前、又は１つ後にずらして同様なデータの並びとしても同様にすることがある。このように、データ１の間に配置されるデータ０の分布が一様となるようにすればよい。【００２６】  図５には、図１における第１ＳＴＣカウンタ値生成部３２の他の一実施例の概略ブロック図が示されている。この実施例の第２ＳＴＣカウンタ値生成部３７は、オーディオクロックを入力する例に向けられている。例えば、カメラ等の故障により映像データ（ビデオクロック）が入力されない場合、音声系だけでも記録する必要がある場合に有益である。図５におけるクロックカウンタ部３２１では、オーディオマスタクロック（以下、ＭＣＬＫという）によりインクリメントを行いカウンタ値を生成する。カウンタ値デコーダ部３２２では、カウンタ値をデコードしてＳＴＣ生成用カウンタ部３２３と３２５でのインクリメントを制御するインクリメント信号を生成する。【００２７】  この実施例のＳＴＣ生成用カウンタ部３２３と３２５は、２種類のＳＴＣ生成用カウンタ部１（３２３）とＳＴＣ生成用カウンタ部２（３２５）とが用意される。セレクタ３２６は、ＳＴＣ生成用カウンタ部１（３２３）又はＳＴＣ生成用カウンタ部２（３２５）のいずれかを選択して第２ＳＴＣカウンタ値を出力させる。ＳＴＣ生成用カウンタ部１（３２３）は、ビデオクロックＭＣＬＫが２７ＭＨｚよりも低い場合（ＭＣＬＫ＜２７ＭＨｚ）に向けられおり、周波数逓倍動作を行うように＋１インクリメントと＋２インクリメントを行う。ＳＴＣ生成用カウンタ部２（３２５）は、ビデオクロックＭＣＬＫが２７ＭＨｚよりも高い場合（ＭＣＬＫ＞２７ＭＨｚ）に向けられおり、分周動作を行うよう＋１インクリメントを行う。【００２８】  図６には、図５におけるカウンタ値デコーダ部３２２の一実施例の概略図が示されている。４８Ｋサンプリング用デコードデータ生成部３２２１は、４８ＫＨｚサンプリング５１２ｆｓでマスタクロックが２４．５７６ＭＨｚのときに向けられている。この４８Ｋサンプリング用デコードデータ生成部３２２１は、１０２４個のマスタクロックに対して１０１個の割合で前記図３のようなデータ１を一様に分布させる。【００２９】  同様に、４４．１Ｋサンプリング用デコードデータ生成部３２２２は、４４．１ＫＨｚサンプリング５１２ｆｓでマスタクロックが２２．５７９２ＭＨｚのときに向けられている。この４４．１Ｋサンプリング用デコードデータ生成部３２２２は、１５６８個のマスタクロックに対して３０７個の割合で前記図３のようなデータ１を一様に分布させる。そして、３２Ｋサンプリング用デコードデータ生成部３２２３は、３２ＫＨｚサンプリング５１２ｆｓでマスタクロックが１６．３８４２ＭＨｚのときに向けられている。この３２Ｋサンプリング用デコードデータ生成部３２２３は、２０４８個のマスタクロックに対して１３２７個の割合で前記図３のようなデータ１を一様に分布させる。他の周波数についても、周波数毎にデコードデータ生成部を追加することで対応することが可能である。【００３０】  このようにオーディオのシステムクロック（ＭＣＬＫ）から第２ＳＴＣカウンタ値を生成するためには、２７ＭＨｚとＭＣＬＫの最大公約数Ｘを求め、ＭＣＬＫ／Ｘサイクルで２７Ｍ／Ｘの値をインクリメントするカウンタを構成する。例えば、ＭＣＬＫが２４．５７６ＭＨｚの場合、２７ＭＨｚとの最大公約数は２４０００となり、２４５７６０００／２４０００＝１０２４サイクルで、２７００００００／２４０００＝１１２５までインクリメントするカウンタにより、ＳＴＣでインクリメントするカウンタに相当する機能を実現することができる。【００３１】  本願発明に係るエンコーダシステムでは、周辺機器（カメラ、ＢＤプレーヤ等）から映像信号のみを入力し、ＭＰＥＧ２−ＴＳのＰＣＲを生成するためにＳＴＣを生成する。本願発明に係るエンコーダシステムにおいては、従来のようにビデオカメラ等のような映像処理部に存在する２７ＭＨｚのＳＴＣを用いるようにする場合のように、前記図８に示した外部に接続された周辺機器１内のＳＴＣ生成部１１からＳＴＣ送信用ケーブル２３を介して別途入力するようなインタフェースを設けたり、あるいはビデオデータやオーディオデータとＳＴＣを伝送する特別な１つのケーブルを新たに用意したりする必要もないので構成が簡単となる。【００３２】  ビデオクロックに同期した２７ＭＨｚのようなタイミング信号を生成する最も一般的な手法としてはＰＬＬ回路を用いることが考えられるが、ＰＬＬ回路は水晶振動子を用いた基準周波数発生回路のような比較的高価な回路を必要とする。この実施例のエンコーダシステムにおいてＰＬＬ回路のような高価な同期化回路を設ける必要もない。そして、外部に接続された周辺機器１、ビデオエンコーダシステム３及びそれらを接続するケーブルやコネクタも従前のものをそのまま流用できるので汎用性が高く、用途の拡大を期待できる。例えば、高感度のビデオカメラを必要とするシステム、モノクロカメラで良い簡易システム、あるいは高画質の映像信号を必要とするシステム等に対してビデオカメラ部のみを交換するだけでよい。また、ビデオカメラの他、ＳＴＣ信号を持たないＢＤプレーヤのような記憶手段（ビデオデコードシステム）からから出力されたビデオ信号を再度圧縮する場合にも利用できる。【００３３】  図７には、この発明が適用された監視カメラシステムの一実施例のブロック図が示されている。この実施例では、複数のビデオカメラ１０１〜１０ｎに対して、本願発明に係る１つのビデオエンコーダシステム３が用いられる。セレクタ５は、ビデオカメラ１０１〜１０ｎからの映像信号を時間的に分割して上記ビデオエンコーダシステム３に供給する。上記ビデオエンコーダシステム３は、時間的に分割して供給されたビデオカメラ１０１〜１０ｎから異なるビデオデータとオーディオデータをＭＰＥＧ２−ＴＳに対応した圧縮信号に変換し、ＨＤＤ等のような記憶装置６に監視画像を記録させる。このシステムでは、ビデオエンコーダシステム３を複数のビデオカメラに共用できるからシステムの簡素化が可能に���る。そして、ビデオカメラも監視場所に応じて高感度のもの、モノクロカメラあるいは高画質のもの等異なる種類のものを組み合わせることができる。【００３４】  ＭＰＥＧ２−ＴＳによる映像／音声信号は、デジタル家電として販売されている表示装置を用いることができる。これにより、前記ビデオエンコーダシステム３で生成された圧縮信号の再生は、このような一般的なテレビジョン受像機でそのまま表示できるので、この発明に係るビデオエンコーダシステムは、使い勝手が良く様々な用途の拡大に期待できるものとなる。【００３５】  本発明者によってなされた発明を、前記実施形態に基づき具体的に説明したが、本発明は、前記実施形態に限定されるものではなく、その要旨を逸脱しない範囲において種々変更可能である。例えば、カウンタ値デコード部３２２は、前記図３に示したようなメモリ回路を用いるもの他、ループカウンタの計数値のうち１番目（０００１）、４番目（０１００）、６番目（０１１０）及び９番目（１００１）を論理回路により検出しても前記同様なインクリメントタイミング信号を形成することができる。また、ＳＴＣ生成用カウンタ部は、前記のようにインクリメントタイミング信号に対応しビデオクロックに同期した１個のパルス、１．００１補正タイミング信号に対応してビデオクロックに同期した２個のパルスを発生させるものであれば何であってもよい。
【産業上の利用可能性】
【００３６】  この発明は、ビデオ信号のみを取り込んでＭＰＥＧ２−ＴＳのＰＣＲを形成するものに広く利用することができる。
【符号の説明】
【００３７】  １…周辺機器、１１…ＳＴＣ生成部、２１〜２３…ケーブル、３…ビデオエンコーダシステム、３１…ビデオ受信部、３２…第１ＳＴＣカウンタ値生成部、３３…ビデオエンコーダ、３４…オーディオエンコーダ、３５…ＰＣＲ生成部、３６…マルチプレクサ、３７…第２ＳＴＣカウンタ値生成部、３２１…クロックカウンタ部、３２２…カウンタ値デコーダ部、３２３…ＳＴＣ生成用カウンタ部（１）、３２４…１．００１補正タイミング生成部、３２５…ＳＴＣ生成用カウンタ部２、３２６…セレクタ、３２２１…４８Ｋサンプリング用デコードデータ生成部、３２２２…４４．１Ｋサンプリング用デコードデータ生成部、３２２３…３８Ｋサンプリング用デコードデータ生成部、１０１〜１０ｎ…ビデオカメラ、２１１〜２１ｎ…ケーブル、５…セレクタ、６…記憶装置、４…ビデオデコーダシステム、７…ＳＴＣカウンタ値生成部を搭載しないビデオエンコーダシステム、３３１…デコードデータ生成部。
【図７】
0005572541.tif 000002
【図１】
0005572541.tif 000003
【図２】
0005572541.tif 000004
【図３】
0005572541.tif 000005
【図４】
0005572541.tif 000006
【図５】
0005572541.tif 000007
【図６】
0005572541.tif 000008
【図８】
0005572541.tif 000009